(57)【特許請求の範囲】
【請求項１】
携帯端末装置において、
第１表示部を有する第１ユニットと、
第２表示部を有する第２ユニットと、
前記第２表示部に対する前記第１ユニットの重なりが大きくなる方向と前記重なりが小さくなる方向に、前記第１ユニットを移動させる移動機構部と、
前記第１表示部および前記第２表示部を制御する表示制御部と、を備え、
前記重なりが最も大きな状態であって、前記移動機構部による前記第１ユニットの移動方向における前記携帯端末装置のサイズが、前記重なりが最も大きくなる前よりも小さくなった状態において、前記第２表示部の一部の表示領域が外部に露出する、
ことを特徴とする携帯端末装置。
【請求項２】
請求項１に記載の携帯端末装置において、
前記第１ユニットは、前記第１表示部への入力を検出する第１入力部を有し、
前記表示制御部は、前記重なりが最も大きい状態において、入力を行うための操作画面を前記第１表示部に表示し、前記操作画面での入力に基づく情報が示される情報表示画面を前記第２表示部の前記一部の表示領域に表示する、
ことを特徴とする携帯端末装置。
【請求項３】
請求項１または２に記載の携帯端末装置において、
前記第１ユニットは、前記第１表示部を介して前記第１ユニットの向こう側が視認できるように構成されている、
ことを特徴とする携帯端末装置。
【請求項４】
請求項３に記載の携帯端末装置において、
前記第１表示部は、透明な液晶表示器を含む、
ことを特徴とする携帯端末装置。
【請求項５】
第１表示部を有する第１ユニットと、
第２表示部を有する第２ユニットと、
前記第２表示部に対する前記第１ユニットの重なりが大きくなる方向と前記重なりが小さくなる方向に、前記第１ユニットを移動させる移動機構部と、
前記第１表示部および前記第２表示部を制御する表示制御部と、を備え、
前記重なりが最も大きな状態において、前記第２表示部の一部の表示領域が外部に露出し、
前記第１ユニットは、前記第１表示部を介して前記第１ユニットの向こう側が視認できるように構成され、
前記第２表示部に表示される表示画面の下方向に前記第１ユニットが移動すると、前記重なりが小さくなくなるよう、前記第１ユニットと前記第２ユニットとが連結され、
前記表示制御部は、
前記重なりが最も大きい状態において、所定のアプリケーションの動作画面を前記第２表示部に表示するとともに、前記第１表示部を介して前記動作画面が視認できるよう前記第１表示部を制御し、
前記重なりが小さくなる方向に前記第１ユニットが移動されたことに基づいて、前記第２表示部に表示された動作画面に続く動作画面を前記第１表示部に表示する、
ことを特徴とする携帯端末装置。
【請求項６】
請求項５に記載の携帯端末装置において、
前記表示制御部は、前記重なりが最も大きい状態において、
アプリケーションを起動するためのメニュー画面を前記第２表示部に表示し、前記第１表示部を介して前記メニュー画面が視認できるよう前記第１表示部を制御し、
前記メニュー画面での操作により前記アプリケーションが起動されると、前記アプリケーションの動作画面を前記第１表示部に表示する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、２つのキャビネットを有し、各キャビネットに表示面が設けられた携帯端末装置が知られている（たとえば、特許文献１）。この種の携帯端末装置では、たとえば、２つのキャビネットが重ね合わされると、１つの表示面が露出し、２つのキャビネットが並べられると、２つの表示面が露出する。また、この種の携帯端末装置では、表示面に対して入力を可能とすることもできる。
【０００３】
２つのキャビネットが重ね合わせられたときには、装置がコンパクトになり、携帯性に優れる。一方、２つのキャビネットが並べられたときには、２つの表示面によって表示面積および入力面積が拡張されるので、視聴性および操作性が高まる。
【先行技術文献】
【特許文献】
【０００４】
【特許文献１】特開２００２−０４４２０２号公報
【発明の概要】
【発明が解決しようとする課題】
【０００５】
しかしながら、上記の構成では、２つのキャビネットが重ね合わされた閉鎖状態において、下側のキャビネットの表示面は、上のキャビネットが完全に重なった状態となる。よって、閉鎖状態においては、２つの表示面を用いた表示を行うことができず、携帯端末装置の面白みや機能性ないし付加価値を高めることができない。
【０００６】
本発明は、かかる課題に鑑みて為されたものであり、２つの表示部が重なった状態においても、表示による面白みや機能性ないし付加価値を高めることができる携帯端末装置を提供することを目的とする。
【課題を解決するための手段】
【０００７】
本発明の携帯端末装置は、第１表示部を有する第１ユニットと、第２表示部を有する第２ユニットと、前記第２表示部に対する前記第１ユニットの重なりが大きくなる方向と前記重なりが小さくなる方向に、前記第１ユニットを移動させる移動機構部と、前記第１表示部および前記第２表示部を制御する表示制御部と、を備える。ここで、前記重なりが最も大きな状態であって、前記移動機構部による前記第１ユニットの移動方向における前記携帯端末装置のサイズが、前記重なりが最も大きくなる前よりも小さくなった状態において、前記第２表示部の一部の表示領域が外部に露出する。
【０００８】
本発明の構成によれば、第２表示部に対して第１ユニットが最も重ねられた状態においても、外部に露出した第２表示部の一部の表示領域を、表示に利用することができる。よって、このように外部に露出した領域をさらに用いて、面白みのある表示や機能を実現することができる。
【０００９】
本発明の携帯端末装置において、たとえば、第１ユニットは、前記第１表示部への入力を検出する第１入力部を有するよう構成され得る。さらに、表示制御部は、入力を行うための操作画面を第１表示部に表示し、操作画面での入力に基づく情報が示される情報表示画面を前記第２表示部の前記一部の表示領域に表示するよう構成され得る。
【００１０】
このような構成とすれば、第１表示部には操作画面が表示され、操作画面での入力に基づく情報が、外部に露出した第２表示部の一部の表示領域に表示される。これにより、第２ユニットに対して第１ユニットが最も重ねられた状態においても、第２表示部において、入力に基づく情報を確認できる。
【００１１】
本発明の携帯端末装置において、前記第１ユニットは、前記第１表示部を介して前記第１ユニットの向こう側が視認できるように構成され得る。たとえば、前記第１表示部は、透明な液晶表示器を含むよう構成され得る。
【００１２】
このような構成とすれば、第１表示部を通して第２表示部が透き通って見えるため、前記第２表示部に対する第１ユニットの重なりが最も大きい状態において、第１表示部の画像と第２表示部の画像を組み合わせた画面表示が可能となる。よって、画面表示のバリエーションが豊富になり、さらに面白みのある表示や機能を実現することができる。
【００１３】
本発明の携帯端末装置は、第１表示部を有する第１ユニットと、第２表示部を有する第２ユニットと、前記第２表示部に対する前記第１ユニットの重なりが大きくなる方向と前記重なりが小さくなる方向に、前記第１ユニットを移動させる移動機構部と、前記第１表示部および前記第２表示部を制御する表示制御部と、を備える。ここで、前記重なりが最も大きな状態において、前記第２表示部の一部の表示領域が外部に露出する。また、前記第１ユニットは、前記第１表示部を介して前記第１ユニットの向こう側が視認できるように構成される。さらに、前記第２表示部に表示される表示画面の下方向に前記第１ユニットが移動すると、前記重なりが小さくなくなるよう、前記第１ユニットと前記第２ユニットとが連結される。前記表示制御部は、前記重なりが最も大きい状態において、所定のアプリケーションの動作画面を前記第２表示部に表示するとともに、前記第１表示部を介して前記動作画面が視認できるよう前記第１表示部を制御する。そして、前記表示制御部は、前記重なりが小さくなる方向に前記第１ユニットが移動されたことに基づいて、前記第２表示部に表示された動作画面に続く動作画面を前記第１表示部に表示する。
【００１４】
このような構成とすれば、第２表示部に対する第１ユニット重なりが小さくされ、第１表示部と第２表示部が並ぶ状態に切り替えられたときに、第２表示部の表示形態は変更することなく、第１表示部に第２表示部に続く動作画面を表示するだけで、双方の表示部が一体となった大きな表示面で一つの動作画面を表示することができる。これにより、２つの表示部に対する制御処理の簡素化を図ることができる。
【００１５】
また、このような構成において、前記表示制御部は、前記重なりが最も大きい状態において、アプリケーションを起動するためのメニュー画面を前記第２表示部に表示し、前記第１表示部を介して前記メニュー画面が視認できるよう前記第１表示部を制御する。そして、前記メニュー画面での操作により前記アプリケーションが起動されると、前記アプリケーションの動作画面を前記第１表示部に表示する。
【００１６】
このような構成とすれば、アプリケーションの起動後に第１表示部と第２表示部が並ぶ状態に切り替えられたときに、双方の表示部の表示形態を切替前と同じにしておくだけで、第１表示部にアプリケーションの動作画面を表示し、第２表示部にメニュー画面を表示することができる。これにより、２つの表示部に対する制御処理の簡素化を図ることができる。
【発明の効果】
【００１７】
以上のとおり、本発明によれば、２つの表示部が重なった状態においても、表示による面白みや機能性ないし付加価値を高めることができる携帯端末装置を提供することができる。
【００１８】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１９】
【図１】実施の形態に係る携帯端末装置を示す分解斜視図である。
【図２】実施の形態に係る携帯端末装置の全体を示す斜視図である。
【図３】実施の形態に係る携帯端末装置を示す断面図である。
【図４】実施の形態に係る第２蓋部の下にスライド部を配置した状態を示す斜視図である。
【図５】実施の形態に係る受部を第２蓋部に取り付ける状態を示す斜視図である。
【図６】実施の形態に係る第２蓋部の上に第１底部を載せる状態を示す斜視図である。
【図７】実施の形態に係る第１底部の中に第１表示部を収容する状態を示す斜視図である。
【図８】実施の形態に係る第１底部を第１蓋部で覆う状態を示す斜視図である。
【図９】実施の形態に係る第１蓋部の蓋貫通孔に被覆部を嵌めた状態を示す斜視図である。
【図１０】実施の形態に係るスライド部および被覆部をビスで固定する状態を示す斜視図である。
【図１１】実施の形態に係る第２底部を第２蓋部に取り付ける状態を示す斜視図である。
【図１２】実施の形態に係る配線の状態を示す斜視図である。
【図１３】実施の形態に係る携帯端末装置の回路を示すブロック図である。
【図１４】実施の形態に係る第１表示部および第２表示部に対する表示制御の処理手順を示すフローチャートである。
【図１５】実施の形態に係る第１形態において第２表示面にメニュー画面が表示された状態を示す図である。
【図１６】実施の形態に係る第１形態において時計のウィジェットが起動された状態を示す図である。
【図１７】実施の形態に係る第１形態においてブラウザが起動された状態を示す図である。
【図１８】実施の形態に係る第１形態においてブラウザが起動されたときの第１表示面および第２表示面の表示状態を示す図である。
【図１９】実施の形態に係る第１形態においてマップのアプリケーションが再開された状態を示す図である。
【図２０】実施の形態に係る第１形態においてマップのアプリケーションが再開されたときの第１表示面および第２表示面の表示状態を示す図である。
【図２１】実施の形態に係るアプリケーションの動作中に第１形態から第２形態に切り替えられた場合の表示制御の処理手順を示すフローチャートである。
【図２２】実施の形態に係る第１形態から第２形態に切り替えられた場合の第１表示面および第２表示面の表示状態を示す図である。
【図２３】実施の形態に係るメール文書を作成して送信するための制御の処理手順を示すフローチャートである。
【図２４】実施の形態に係る第１表示面および第２表示面に文書作成画面が表示された状態を示す図である。
【発明を実施するための形態】
【００２０】
以下、図を参照して、本実施の形態に係る携帯端末装置について説明する。
【００２１】
＜携帯端末装置の構成＞
図１は、携帯端末装置１００の全体構成を示す分解斜視図である。図２（ａ）は、携帯端末装置１００の第１ユニット１０を第２ユニット２０に重ねた状態を示す斜視図である
。図２（ｂ）は、携帯端末装置１００の第１ユニット１０と第２ユニット２０を並べた状態を示す斜視図である。図３（ａ）は、図２（ａ）のＡ−Ａ’線における断面図である。図３（ｂ）は、図２（ａ）のＢ−Ｂ’線における断面図である。なお、本実施形態では、第１ユニット１０の位置が第２ユニット２０に対して上側になり、携帯端末装置１００が水平に置かれた状態で、第１ユニット１０および第２ユニット２０が重なる方向を縦方向と称し、縦方向に垂直な方向を横方向と称す。
【００２２】
携帯端末装置１００は、図２に示すように、第１ユニット１０および第２ユニット２０を備え、第１ユニット１０は第２ユニット２０に対してスライド可能に重ねられる。
【００２３】
第１ユニット１０は、図１および図３に示すように、第１底部１１と、第１底部１１に設けられるスライド部１２と、第１底部１１に収容される第１表示部１３および第１入力部１４と、第１表示部１３に接続される配線１５と、第１表示部１３と覆う第１蓋部１６と、第１蓋部１６に装着される被覆部１７とを備える。
【００２４】
第１底部１１は、ポリカーボネートやアクリルなどの透明樹脂により射出成型で形成される。第１底部１１は、長方形状であり、中央が長方形状にわずかに窪む。第１底部１１には、２つの底貫通孔１１ａが互いに間隔を隔てて設けられる。各底貫通孔１１ａは第1
底部１１を貫通する。底貫通孔１１ａは、細長く、第１底部１１の短辺に対して間隔を隔てて平行に形成される。各底貫通孔１１ａの上には、突条部１１ｂが設けられる。突条部１１ｂは、底貫通孔１１ａの全長に亘って延び、窪みの縁から底貫通孔１１ａを塞ぐ向きに突出する。
【００２５】
スライド部１２は、軸部１２ａおよび係止部１２ｂを有する。軸部１２ａは、細長く、上部および下部を含む。軸部１２ａの上部の幅は下部の幅より狭く、上部と下部との間に段差が形成される。軸部１２ａには、２つの挿入孔１２ｃが間隔を隔てて設けられる。挿入孔１２ｃは、軸部１２ａを貫通する。
【００２６】
係止部１２ｂは、軸部１２ａの端に設けられ、上部、中部および下部を含む。係止部１２ｂの上部の幅は、軸部１２ａの上部の幅と等しく、係止部１２ｂの上部は軸部１２ａの上部に連続する。係止部１２ｂの中部の幅は、軸部１２ａの下部の幅と等しく、係止部１２ｂの中部は軸部１２ａの下部に連続する。ただし、係止部１２ｂの中部の高さは、軸部１２ａの下部の高さより大きく、係止部１２ｂの中部は軸部１２ａの下部より下側に突出する。係止部１２ｂの下部の幅は、係止部１２ｂの中部の幅より大きく、下部と中部との間に段差が形成される。また、係止部１２ｂには、貫通孔１２ｄが形成される。貫通孔１２ｄは、係止部１２ｂの上部、中部および下部を貫通し、下部の側面に開口する。
【００２７】
第１表示部１３は、長方形の平板形状であって、たとえば、透明な液晶表示器により構成される。液晶表示器は、表示モードがノーマリーホワイトである液晶パネルのみを備え、液晶パネルの背後に照明部（バックライト）が配されていない。なお、液晶パネルは、２枚の透明板（図示せず）の間に透明液晶（図示せず）および透明電極（図示せず）が挟まれて構成される。
【００２８】
なお、透明な液晶表示器として、液晶パネルの背後に、透明な導光板と光源部とからなる照明部が配される構成のものが用いられても良い。
【００２９】
第１表示部１３の２つの短辺の内の１つの短辺に電極１３ａが設けられる。電極１３ａは、透明な液晶表示器に接続される。
【００３０】
配線１５は、第１表示部１３の電極１３ａの端に接続される。配線１５には、フレキシ
ブル配線（フレキシブル基板）が用いられる。
【００３１】
第１入力部１４は、位置センサ１４ａおよびイメージセンサ１４ｂなどを含み、これらに配線（図示せず）が接続される。位置センサ１４ａには、タッチパネルなどが用いられる。タッチパネルは、透明な長方形状のシートであり、マトリクス状に２つの透明電極（図示せず）が組み込まれている。タッチパネルは、これら透明電極間の静電容量の変化を検出することによって、ユーザの指などが接近した（あるいは、触れた）位置を検出し、その位置に応じた信号を出力する。
【００３２】
第１蓋部１６は、ポリカーボネートやアクリルなどの透明樹脂により射出成型で形成される。第１蓋部１６は、長方形状の天面および４つの側面を有し、下側に開口する。第１蓋部１６の天面には、２つの蓋貫通孔１６ａが設けられ、蓋貫通孔１６ａは天面を貫通する。蓋貫通孔１６ａは、細長く、第１蓋部１６の短辺に対して間隔を隔てて平行に形成される。蓋貫通孔１６ａの上部の幅は下部の幅より広く、上部と下部との間に段差が設けられる。
【００３３】
被覆部１７は、細長く、不透明な樹脂により射出成型で形成される。被覆部１７の上部の幅は被覆部１７の下部の幅より広く、上部と下部との間に段差が形成される。被覆部１７には、２つのネジ孔１７ａが間隔を隔てて設けられる。ネジ孔１７ａは被覆部１７の上部を貫通せず、被覆部１７の上面は平らに形成される。
【００３４】
第２ユニット２０は、第２底部２１と、第２底部２１に収容される電池２２、基板２３、第２入力部２４、第２表示部２５および受部２６と、第２表示部２５を覆う第２蓋部２７とを備える。
【００３５】
第２底部２１は、長方形状の底面および底面を囲む４つの側面を有し、上側に開口する。２つの短側面の内側には、それぞれ、支持部２１ａが設けられる。支持部２１ａは、直方体状であって、短側面に対して間隔を隔てて平行に延びる。
【００３６】
電池２２は厚みの薄い直方体状であり、基板２３は平板形状である。電池２２および基板２３は、互いにコネクタ２２ａで接続される。基板２３の表面にはＣＰＵ２３ｂやメモリ２３ｃなどの電子部品（図示せず）やコネクタ２３ａなどが配され、電子部品などの間が配線（図示せず）で接続される。
【００３７】
第２表示部２５は、たとえば、透明でない液晶表示器で構成され、液晶パネル２５ａと、液晶パネル２５ａを照明するための導光板２５ｂおよび発光部２５ｃとを含む。は、液晶パネル２５ａは、２枚の透明板（図示せず）の間に透明液晶（図示せず）および透明電極（図示せず）が挟まれて構成される。液晶パネル２５ａの背面側に、導光板２５ｂおよび発光部２５ｃが配置される。
【００３８】
第２入力部２４は、位置センサ２４ａを含む。位置センサ２４ａには、たとえば、タッチパネルが用いられる。タッチパネルは、透明な長方形状のシートである。タッチパネルには、マトリクス状に２つの透明電極（図示せず）が組み込まれ、透明電極に配線（図示せず）が接続される。
【００３９】
受部２６は、底面板２６ａ、第１側面板２６ｂおよび第２側面板２６ｃを含む。底面板２６ａは、細長い長方形状である。第１側面板２６ｂは、矩形状であって、底面板２６ａの短辺から垂直に立ち上がる。第２側面板２６ｃは、底面板２６ａの長辺から垂直に立ち上がるとともに、その先端部が底面板２６ａ対して平行となるよう曲げられている。
【００４０】
第２蓋部２７は、長方形状の天面および天面を囲む４つの側面を有し、下側に開口する。天面には、天面を貫通する２つのガイド孔２７ａが互いに間隔を隔てて設けられる。ガイド孔２７ａは、細長く、天面の短辺に対して間隔を隔てて平行に延びる。第２蓋部２７の中央には、表示窓２７ｂが形成されており、表示窓２７ｂを通じて、第２表示部２５の第２表示面２５ｄが外部に臨む。
【００４１】
＜携帯端末装置の組み立て＞
図４は、第２蓋部２７の下に２つのスライド部１２を配置した状態を示す斜視図である。図４に示すように、第２蓋部２７の下側からスライド部１２がガイド孔２７ａに嵌められる。スライド部１２の長さはガイド孔２７ａの長さに等しく、スライド部１２はガイド孔２７ａの全長に亘る。図３に示すように、スライド部１２の軸部１２ａの幅および係止部１２ｂの上部の幅がガイド孔２７ａの幅より少し小さく設定されるため、スライド部１２の軸部１２ａおよび係止部１２ｂの上部は、ガイド孔２７ａを通り抜け、第２蓋部２７の表面から上方に突出する。係止部１２ｂの下部の幅はガイド孔２７ａの幅より大きく設定されるため、係止部１２ｂの下部は、ガイド孔２７ａを囲む第２蓋部２７の縁に当たり、第２蓋部２７の中に配置される。
【００４２】
図５（ａ）は、第２蓋部２７の下に２つの受部２６を配置した状態を示す斜視図である。図５（ｂ）は、受部２６が第２蓋部２７に取り付けられた状態を示す斜視図である。図５に示すように、第２蓋部２７の下側からガイド孔２７ａの下に受部２６が配置される。受部２６の第１側面板２６ｂがスライド部１２の係止部１２ｂ側に向けられ、第１側面板２６ｂおよび底面板２６ａが係止部１２ｂを囲む。第２側面板２６ｃが第２蓋部２７の短辺側に向けられ、図３に示すように、第２側面板２６ｃの先端部が第２蓋部２７の天面および側面に当たる。これにより、第２側面板２６ｃが係止部１２ｂの側面に平行になる。また、受部２６の底面板２６ａは、ガイド孔２７ａの下で、係止部１２ｂの下面に平行になる。
【００４３】
図６は、第２蓋部２７の上に第１底部１１を配置した状態を示す斜視図である。図６に示すように、スライド部１２が第２蓋部２７の上方へ突出するため、スライド部１２が第１底部１１の底貫通孔１１ａに嵌るように、第２蓋部２７の上に第１底部１１が載せられる。図３に示すように、軸部１２ａの幅と係止部１２ｂの上部および中部の幅とが、底貫通孔１１ａの幅より少し小さく設定され、軸部１２ａと係止部１２ｂの上部および中部とが底貫通孔１１ａに嵌る。軸部１２ａの下部の高さが底貫通孔１１ａの高さに等しく、軸部１２ａの段差が突条部１１ｂに当たり、軸部１２ａの下部が蓋貫通孔１６ａの中に納まる。軸部１２ａの上部表面は、第１底部１１の表面と面一になる。これにより、軸部１２ａが第２蓋部２７の天面より上に配置される。
【００４４】
図７（ａ）は、第１底部１１の上に第１表示部１３を配置した状態を示す斜視図である。図７（ｂ）は、第１底部１１の窪みに第１表示部１３を収容した状態を示す斜視図である。図７（ｃ）は、配線１５を係止部１２ｂの貫通孔１２ｄに通した状態を第１底部１１の上から見た斜視図である。図７（ｄ）は、配線１５を係止部１２ｂの貫通孔１２ｄに通した状態を第２蓋部２７の下から見た斜視図である。
【００４５】
図７に示すように、第１表示面１３ｂが上側になり、配線１５が係止部１２ｂの貫通孔１２ｄを通るように、第１底部１１の窪みに第１表示部１３を据える。第１底部１１の窪みのサイズが第１表示部１３のサイズに一致することで、第１底部１１の窪みに第１表示部１３を嵌めると、第１表示部１３が位置決めされる。第１底部１１の窪みは２つの底貫通孔１１ａの間に形成されているため、第１表示部１３は２つの底貫通孔１１ａの間に配置される。図３に示すように、配線１５は、係止部１２ｂの貫通孔１２ｄおよびガイド孔２７ａを通り、係止部１２ｂの側面から横方向へ出て、第２蓋部２７の中へ抜ける。
【００４６】
また、第１表示部１３の上に第１入力部１４が重ねられる。第１入力部１４のサイズは第１表示部１３のサイズと同じであり、第１入力部１４は第１表示部１３の全面を覆う。第１入力部１４の配線は、第１表示部１３の配線１５と同様に、係止部１２ｂの貫通孔１２ｄおよびガイド孔２７ａを通り、第２蓋部２７の中に導かれる。
【００４７】
図８（ａ）は、第１底部１１を第２蓋部２７の横に並べた状態を示す斜視図である。図８（ｂ）は、第１底部１１の上に第１蓋部１６を配置した状態を示す斜視図である。図８に示すように、第１底部１１は、同図（ａ）の矢印の方向に第２蓋部２７に対してスライドされ、第２蓋部２７の横に並べられる。そして、第１蓋部１６は、第１入力部１４を覆うように、第１底部１１の上に載せられる。図３に示すように、第１底部１１のサイズは第１蓋部１６の側面で囲むサイズより少し小さく、第１底部１１は第１蓋部１６の中に納まる。第１表示面１３ｂが第１入力部１４を介して第１蓋部１６の天面に対向する。また、第１蓋部１６の蓋貫通孔１６ａは、スライド部１２およびガイド孔２７ａの上に配置される。
【００４８】
図９（ａ）は、第１蓋部１６の蓋貫通孔１６ａの上に被覆部１７を配置した状態を示す斜視図である。図９（ｂ）は、第１蓋部１６の蓋貫通孔１６ａに被覆部１７を嵌めた状態を示す斜視図である。図９に示すように、開口する蓋貫通孔１６ａに被覆部１７が嵌められる。被覆部１７のサイズは蓋貫通孔１６ａのサイズと等しいことから、被覆部１７は蓋貫通孔１６ａを塞ぐ。図３に示すように、ガイド孔２７ａおよびスライド部１２の上に被覆部１７が重なる。被覆部１７の幅は、ガイド孔２７ａおよびスライド部１２の幅に等しいまたはそれより大きい。このことから、被覆部１７はガイド孔２７ａおよびスライド部１２を覆い、ガイド孔２７ａおよびスライド部１２が不透明な被覆部１７の下に隠れる。また、２つの被覆部１７の間では、第１底部１１、第１表示部１３、第１入力部１４および第１蓋部１６が重なり、これらは透明である。２つの被覆部１７の外側では、第１底部１１および第１蓋部１６が重なり、これらも透明である。このため、第１ユニット１０において、第１表示面１３ｂの範囲は透明になり、第１表示面１３ｂの周囲は被覆部１７を除き透明になる。
【００４９】
図１０（ａ）は、スライド部１２を第１底部１１の下から見た斜視図である。図１０（ｂ）は、スライド部１２にビス１８を嵌めた状態を第１底部１１の下から見た斜視図である。図１０に示すように、ビス１８をスライド部１２の挿入孔１２ｃに差し込む。図３に示すように、被覆部１７のネジ孔１７ａの位置は、スライド部１２の挿入孔１２ｃの位置と一致し、ネジ孔１７ａと挿入孔１２ｃとは連続する。このため、ビス１８が、挿入孔１２ｃを通過し、ネジ孔１７ａに嵌る。また、被覆部１７の段差が蓋貫通孔１６ａの段差に当たり、被覆部１７が位置決めされる。これにより、スライド部１２および被覆部１７が縦方向に接続され、これらを介して第１蓋部１６および第１底部１１が固定されて、第１ユニット１０が組み立てられる。また、係止部１２ｂが、ガイド孔２７ａを囲む第１蓋部１６の縁に係止され、第１ユニット１０は第２蓋部２７に連結される。
【００５０】
図１１（ａ）は、第２底部２１の上に第２蓋部２７を配置した状態を示す斜視図である。図１１（ｂ）は、配線１５を基板２３のコネクタ２３ａに接続した状態を示す斜視図である。なお、図１１（ｂ）では、配線１５が見易いように、第１蓋部１６および第２蓋部２７が破線で表わされている。
【００５１】
図１１および図３に示すように、第２底部２１の中に電池２２が配置され、電池２２の上に基板２３が重ねられる。電池２２の横に設けられたコネクタ２２ａは、基板２３と接続される。基板２３のコネクタ２３ａが、上側を向き、係止部１２ｂの貫通孔１２ｄの傍らに位置するように、基板２３が配置される。この基板２３の上に導光板２５ｂ、第２表
示部２５および第２入力部２４が順に積み重ねられ、導光板２５ｂの横に発光部２５ｃが配される。発光部２５ｃ、液晶パネル２５ａおよび第２入力部２４にはそれぞれ配線（図示せず）が配され、これらの配線は基板２３に接続される。第２入力部２４のサイズが第２表示部２５のサイズと同じであるため、第２入力部２４が第２表示部２５の全面を覆う。そして、第１入力部１４および第１表示部１３の配線１５が基板２３のコネクタ２３ａに接続されてから、第２蓋部２７と第２底部２１とが結合されて、第２ユニット２０が組み立てられる。支持部２１ａが受部２６の底面に当たり、受部２６が支持部２１ａに支えられる。また、第２表示面２５ｄが第２蓋部２７の天面に対向し、第２表示面２５ｄと第２蓋部２７の天面との間に第２入力部２４が配置される。
【００５２】
＜携帯端末装置の動作＞
図１２（ａ）は、第１ユニット１０および第２ユニット２０が重ねられた時の配線１５を示す斜視図である。図１２（ｂ）は、第１ユニット１０および第２ユニット２０が並べられた時の配線１５を示す斜視図である。なお、図１２（ａ）および図１２（ｂ）において、配線１５の様子がわかりやすいように、第１蓋部１６などの一部の部品が破線で表わされている。
【００５３】
図２に示すように、携帯端末装置１００は、切替部によって、図２（ａ）に示す第１形態と図２（ｂ）に示す第２形態とに切り替えが可能である。
【００５４】
第１形態では、第１ユニット１０が第２ユニット２０の上に重なり、第１表示面１３ｂおよび第２表示面２５ｄが上側を向く。第２ユニット２０がスライドする方向において、第２ユニット２０の寸法は、第１ユニット１０の寸法より大きくされている。また、第２ユニット２０がスライドする方向において、第２表示部２５（第２表示面２５ｄ）の寸法も、第１表示部１３（第１表示面１３ｂ）寸法より大きくされている。これにより、図２（ａ）に示すように、第１形態、即ち、第１ユニット１０が最も第２表示部２５に重なった状態において、第２表示面２５ｄの一部の領域が、第１ユニット１０に覆われず、外部に露出する。第１表示面１３ｂおよび第２表示面２５ｄに表示される表示画面は、第２表示面２５ｄの外部に露出した領域が表示画面の上側になるような向きに表示される（図１５参照）。
【００５５】
また、第１形態では、図１２（ａ）に示すように、スライド部１２の係止部１２ｂが、ガイド孔２７ａの一方端で、受部２６の第１側面板２６ｂに接する位置にあり、スライド部１２がガイド孔２７ａを覆う。係止部１２ｂが基部のコネクタ２２ａの近傍に位置する。配線１５は、係止部１２ｂの貫通孔１２ｄから受部２６の底面に沿って延び、途中で曲がり、重なって受部２６の底面に沿いながら貫通孔１２ｄの方に戻り、コネクタ２２ａに接続される。
【００５６】
第２形態では、図２（ｂ）に示すように、第１ユニット１０が第２ユニット２０の側方に引き出され、第１表示面１３ｂおよび第２表示面２５ｄの両方が上側を向いて外部に臨む。第１ユニット１０の端部が第２表示面２５ｄの端部にわずかに重なり、第１表示面１３ｂと第２表示面２５ｄが隙間のない状態で横に並ぶ（図２２参照）。なお、このとき、第１表示面１３ｂの端部が第２表示面２５ｄの端部にわずかに重なっても良い。
【００５７】
また、第２形態では、図１２（ｂ）に示すように、スライド部１２の係止部１２ｂがガイド孔２７ａの一方端から他方端へ移動し、ガイド孔２７ａが開口する。係止部１２ｂが基板２３のコネクタ２３ａの位置から遠ざかり、配線１５は、係止部１２ｂの貫通孔１２ｄから基板２３のコネクタ２３ａへ直線状に延びる。
【００５８】
切替部は、第２表示部２５に対する第１ユニット１０の重なり量が多くなる方向と、前
記重なり量が少なくなる方向とに、第１ユニット１０を前記第２ユニットに対して移動させる。即ち、切替部は、本発明の移動機構部に対応する。図３に示すように、切替部は、第１ユニット１０に設けられるスライド部１２と、第２ユニット２０に設けられるガイド孔２７ａとを含む。スライド部１２の係止部１２ｂが、第１ユニット１０から第２ユニット２０へ突出し、ガイド孔２７ａに嵌る。係止部１２ｂ以外の第１ユニット１０は第２ユニット２０の上に配置される。このため、係止部１２ｂがガイド孔２７ａに沿って移動することにより、第１ユニット１０が第２ユニット２０の上をスライドする。
【００５９】
＜携帯端末装置の回路＞
図１３は、携帯端末装置１００の回路のブロック図を示す。
【００６０】
ＣＰＵ２３ｂや第１表示部１３、第２表示部２５には、電池２２から電力が供給される。第１表示部１３および第２表示部２５は、配線により基板２３に接続され、基板２３のＣＰＵ２３ｂとの間で信号を送受信する。即ち、各表示部１３、２５は、基板２３のＣＰＵ２３ｂから画像信号を受ける。これら画像信号に基づいて各表示部１３、２５の透明電極に電圧が加えられることにより、液晶の配向が変化し、液晶を通過する光が変調される。これにより、各表示部１３、２５では、各種アイコンやキーボードなどの図、写真、文字、絵およびウインドウなどの画像で構成される各種の表示画面が各表示面１３ｂ、２５ｄに表示される。第１表示部１３は透明な液晶表示器で構成され、第１表示部１３を挟む第１蓋部１６、第１入力部１４および第１底部１１が透明であるため、第１表示部１３において光が透過する範囲は、透明または半透明になっており、これらを通して向こう側が見える。
【００６１】
また、第２表示部２５の発光部２５ｃには、ＣＰＵ２３ｂからの信号により、電池２２からの電力が供給され、これにより、発光部２５ｃが発光する。図３に示すように、発光した光は、導光板２５ｂの側面から導光板２５ｂに入射し、導光板２５ｂの内部で反射しながら、光の一部が導光板２５ｂの表面から液晶パネル２５ａ側に出る。これにより導光板２５ｂの全体から光が均一に発せられ、液晶パネル２５ａへ光が照射される。
【００６２】
図１３に示すように、第１入力部１４および第２入力部２４は、配線により基板２３に接続され、基板２３のＣＰＵ２３ｂとの間で信号を送受信する。各入力部１４、２４には、ＣＰＵ２３ｂからの信号により、電池２２からの電力が供給される。そして、第１入力部１４および第２入力部２４は、位置センサ１４ａ、２４ａにより、ユーザが触れた各表示面１３ｂ、２５ｄの指示位置を検出する。これにより、第１入力部１４は第１表示部１３への入力を検出し、第２入力部２４は第２表示部２５への入力を検出する。そして、各入力部１４、２４は位置信号をＣＰＵ２３ｂに出力する。
【００６３】
また、第１入力部１４は、イメージセンサ１４ｂにより、第１表示面１３ｂに映る被写体からの光を検出し、この光を光電変換で画像信号に変換し、画像信号を基板２３のＣＰＵ２３ｂに出力する。
【００６４】
開閉センサ２８は、第２ユニット２０に配される。第１ユニット１０には磁石（図示せず）が配置され、第１ユニット１０が第２ユニット２０に最も重なった状態になると、磁石が開閉センサ２８に近接する。開閉センサ２８は、磁石の磁界を検出し、検出信号をＣＰＵ２３ｂに出力する。一方、第１ユニット１０が外側に引き出され、磁石が開閉センサ２８から離れると、開閉センサ２８は、磁石の磁界を検出せず、検出信号をＣＰＵ２３ｂに出力しなくなる。
【００６５】
ＣＰＵ２３ｂは、ユーザからの指示やソフトウェアの要求などに応じて、写真や絵、図などの画像データを取得する。画像データは、メモリ２３ｃからの読み出し、インターネ
ットによる受信などにより取得される。ＣＰＵ２３ｂは、画像データを信号として第１表示部１３および第２表示部２５のそれぞれに出力し、各表示部１３、２５に画像を表示させる。各表示部１３、２５に対して、ＣＰＵ２３ｂは、別々の画像を表示させることもできるし、１つの画像を分けて表示させることもできる。なお、画像が第２表示部２５に表示される際、ＣＰＵ２３ｂは、電池２２から発光部２５ｃに電力を供給させ、発光部２５ｃを発光させる。
【００６６】
また、ＣＰＵ２３ｂは、各入力部１４、２４の位置センサ１４ａ、２４ａから位置信号を受け、位置信号に応じた処理を実行する。たとえば、メモリ２３ｃ内には、位置テーブルが記憶されている。位置テーブルには、各表示部１３、２５におけるアイコンの位置と、アイコンが表わすファイルやプログラム（アプリケーション）などとが対応付けられている。ＣＰＵ２３ｂは、位置センサ１４ａ、２４ａから位置信号が入力されると、この位置テーブルを利用して、ユーザに操作されたアイコンを特定し、アイコンに対応するプログラムなどを実行する。
【００６７】
さらに、ＣＰＵ２３ｂは、第１入力部１４のイメージセンサ１４ｂから画像信号を受け、画像信号を処理する。たとえば、画像信号を受けると、ＣＰＵ２３ｂは、画像信号の画像に含まれる文字をＯＣＲ（Optical Character Recognition）などにより特定し、文字
データを取得する。
【００６８】
さらに、ＣＰＵ２３ｂは、開閉センサ２８からの検出信号があると、第１ユニット１０が第２ユニット２０に最も重なっている、即ち、携帯端末装置１００が第１形態であると判定する。一方、開閉センサ２８からの検出信号がなければ、第１ユニットが外側に引き出されている、即ち、携帯端末装置１００が第２形態であると判定する。
【００６９】
なお、ＣＰＵ２３ｂは本発明の表示制御部に対応する。
【００７０】
＜携帯端末装置の機能＞
図１４は、第１表示部１３および第２表示部２５に対する表示制御の処理手順を示すフローチャートである。図１５は、第１形態において第２表示面２５ｄにメニュー画面が表示された状態を示す図である。図１６は、第１形態において時計のウィジェットが起動された状態を示す図である。図１７は、第１形態においてブラウザが起動された状態を示す図である。図１８は、第１形態においてブラウザが起動されたときの第１表示面１３ｂおよび第２表示面２５ｄの表示状態を示す図である。図１８（ａ）は、大画面モードが設定されているときの表示状態を示し、図１８（ｂ）は、マルチ画面モードが設定されているときの表示状態を示す。図１９は、第１形態においてマップのアプリケーションが再開された状態を示す図である。図２０は、第１形態においてマップのアプリケーションが再開されたときの第１表示面１３ｂおよび第２表示面２５ｄの表示状態を示す図である。図２０（ａ）は、大画面モードが設定されているときの表示状態を示し、図２０（ｂ）は、マルチ画面モードが設定されているときの表示状態を示す。なお、図１８および図２０では、各表示面１３ｂ、２５ｄの表示状態がわかりやすいように、本来は重なった状態にある第１表示面１３ｂと第２表示面２５ｄとが別々に描かれている。
【００７１】
図１４を参照して、第１形態にある状態で、携帯端末装置１００に電源が投入されると、ＣＰＵ２３ｂは、第２表示面２５ｄにメニュー画面を表示する（Ｓ１０１）。図１５に示すように、メニュー画面には、ブラウザやアドレス帳、電子メールなどのアプリケーションを起動するためのアイコンＭ１（以下、「アプリアイコン」という）、時計や温度計などのウィジェットを起動するためのアイコンＭ２（以下、「ウィジェットアイコン」という）が表示される。また、中断中のアプリケーションがある場合には、そのアプリケーションを再開するためのアイコンＭ３（以下、「再開アイコン」という）が表示される。
第２表示面２５ｄにおいて、アプリアイコンＭ１は、第１ユニット１０により覆われた領域に表示され、ウィジェットアイコンＭ２および再開アイコンＭ３は、第１ユニット１０によって覆われていない領域（外部に露出した領域）に表示される。このとき、ＣＰＵ２３ｂにより、第１表示部１３はオフ状態とされるため、第１表示部１３は透明な状態（シースルー状態）となっており、ユーザは、第１表示面１３ｂを通じてアプリアイコンＭ１を視認できる。
【００７２】
ＣＰＵ２３ｂは、メニュー画面において、ウィジェットアイコンＭ２、アプリアイコンＭ１、および再開アイコンＭ３の何れかが操作された否かを検出する（Ｓ１０２、Ｓ１０４、Ｓ１０６）。
【００７３】
たとえば、図１６に示すように、ユーザによって時計のウィジェットに対応するウィジェットアイコンＭ２が押されると、ＣＰＵ２３ｂは、第２入力部２４の位置センサ２４ａからの位置信号に基づいて、時計のウィジェットに対応するウィジェットアイコンＭ２が操作されたと判定する（Ｓ１０２：ＹＥＳ）。そして、時計のウィジェットを起動して、時計の画像Ｍ４を第１表示面１３ｂに表示する（Ｓ１０３）。このとき、第２表示面２５ｄでは、第１表示面１３ｂと重なった領域にあるアプリアイコンＭ１が、目立たないよう薄く表示される。
【００７４】
一方、たとえば、図１７のように、ユーザによってブラウザに対応するアプリアイコンＭ１が押されると、ＣＰＵ２３ｂは、ユーザにより押された第２表示面２５ｄ上の位置を判定する。このとき、アプリアイコンＭ１の表示領域では、第２入力部２４が第１ユニット１０の下になっているので、位置センサ２４ａによる位置検出は行えない。よって、代わりに第１入力部１４の位置センサ１４ａにより位置検出が行われる。
【００７５】
ＣＰＵ２３ｂは、位置センサ１４ａからの位置信号に基づいて、ブラウザに対応するアプリアイコンＭ１が操作されたと判定すると（Ｓ１０４：ＹＥＳ）、次に、画面モードが、大画面モードまたはマルチ画面モードの何れに設定されているのかを判定する（Ｓ１０５）。大画面モードは、携帯端末装置１００が第２形態となったときに、第１表示面１３ｂと第２表示面２５ｄとで一つの大きな表示面を構成するモードであり、大きな表示面に１つの表示画面が表示される（図２２（ａ）参照）。マルチ画面モードは、携帯端末装置１００が第２形態となったときに、第１表示面１３ｂと第２表示面２５ｄとが、それぞれ個別に用いられるモードであり、各表示面１３ｂ、２５ｄに別々の表示画面が表示される（図２２（ｂ）参照）。画面モードは、たとえば、所定の設定画面を用いて、ユーザにより予め設定される。
【００７６】
ＣＰＵ２３ｂは、画面モードが大画面モードに設定されていると判定すると（Ｓ１０５：大画面モード）、図１８（ａ）に示すように、起動されたアプリケーションの動作画面、ここでは、ブラウザにより取得したウェブ画面を第２表示面２５ｄに表示する（Ｓ１０６）。このとき、ウェブ画面はアプリアイコンＭ１が表示されていた領域に表示され、ウィジェットアイコンＭ２と再開アイコンＭ３の表示はそのまま残される。ＣＰＵ２３ｂは、第１表示部１３をオフ状態とままとする。これにより、第１表示部１３は透明となったままであり、ユーザは、第１表示面１３ｂを通じてウェブ画面を視認できる。
【００７７】
一方、ＣＰＵ２３ｂは、画面モードがマルチ画面モードに設定されていると判定すると（Ｓ１０５：マルチ画面モード）、図１８（ｂ）に示すように、ブラウザにより取得したウェブ画面を第１表示面１３ｂに表示する（Ｓ１０７）。このとき、第２表示面２５ｄには、依然としてメニュー画面が表示されたままとなる。しかし、図１７のように、第１表示面１３ｂに表示されたウェブ画面に隠されてしまうので、メニュー画面は見えなくなる。
【００７８】
次に、たとえば、マップのアプリケーションが中断中(表示面上で動作していな状態)であり、図１９に示すように、ユーザによってマップのアプリケーションを再開する再開アイコンＭ３が押されると、ＣＰＵ２３ｂには、第２入力部２４の位置センサ２４ａからの位置信号によりマップのアプリケーションを再開する再開アイコンＭ３が操作されたと判定する（Ｓ１０８：ＹＥＳ）。
【００７９】
ＣＰＵ２３ｂは、画面モードが、大画面モードに設定されていれば（Ｓ１０５：大画面モード）、図２０（ａ）に示すように、操作されたアプリケーションの動作画面、ここでは、マップ画面を第２表示面２５ｄに表示する（Ｓ１０６）。第１表示部１３は透明となったままであり、ユーザは、透明となっている第１表示面１３ｂを通じてマップ画面を視認できる。
【００８０】
一方、ＣＰＵ２３ｂは、画面モードがマルチ画面モードに設定されていると判定すれば（Ｓ１０５：マルチ画面モード）、図２０（ｂ）に示すように、マップ画面を第１表示面１３ｂに表示する（Ｓ１０７）。なお、第２表示面２５ｄのメニュー画面は、図１９のように、第１表示面１３ｂに表示されたウェブ画面に隠されてしまい、見えなくなる。
【００８１】
図２１は、アプリケーションの動作中に第１形態から第２形態に切り替えられた場合の表示制御の処理手順を示すフローチャートである。図２２は、第１形態から第２形態に切り替えられた場合の第１表示面１３ｂおよび第２表示面２５ｄの表示状態を示す図である。図２２（ａ）は、大画面モードが設定されているときの表示状態を示し、図２２（ｂ）は、マルチ画面モードが設定されているときの表示状態を示す。
【００８２】
図２１を参照して、ＣＰＵ２３ｂは、たとえば、図１７や図１９に示すように、第１形態において、アプリケーションが実行されているときに、第１形態から第２形態になったか否かを判定する（Ｓ２０１）。ユーザにより第１ユニット１０が外側に引き出され、第２形態になると、開閉センサ２８からＣＰＵ２３ｂへ検出信号は出力されなくなる。
【００８３】
ＣＰＵ２３ｂは、第２形態になったと判定すると（Ｓ２０１：ＹＥＳ）、画面モードが大画面モードまたはマルチ画面モードの何れに設定されているかを判定する（Ｓ２０２）。
【００８４】
大画面モードに設定されている場合、図１８（ａ）や図２０（ａ）に示すように、第２表示面２５ｄには動作中のアプリケーションの動作画面が表示されており、第１表示画面１３ｂは透明な状態とされている。
【００８５】
ＣＰＵ２３ｂは、画面モードが大画面モードに設定されていると判定すると（Ｓ２０２：大画面モード）、図２２（ａ）に示すように、第２表示面２５ｄの動作画面をそのまま維持し、第１表示面１３ｂに、第２表示面２５ｄの動作画面に続く動作画面を表示する（Ｓ２０３）。こうして、第１表示面１３ｂと第２表示面２５ｄが一体となった大きな表示面に一つの動作画面が表示される。
【００８６】
一方、マルチ画面モードに設定されている場合、図１８（ｂ）や図２０（ｂ）に示すように、第２表示面２５ｄにはメニュー画面が表示されており、第１表示面１３ｂには動作中のアプリケーションの動作画面が表示されている。
【００８７】
ＣＰＵ２３ｂは、画面モードがマルチ画面モードに設定されていると判定すると（Ｓ２０２：マルチ画面モード）、図２２（ｂ）に示すように、第２表示面２５ｄのメニュー画面および第１表示面１３ｂの動作画面をそのまま維持する。こうして、２つの表示面１３ｂ、２５ｄが並んだ状態で、各表示面１３ｂ、２５ｄに、それぞれ、メニュー画面とアプリケーションの動作画面が表示される。
【００８８】
図２２に示すように、第２形態へ切替られる際、第１ユニット１０は、第２ユニット２０に対して、第１表示面１３ｂおよび第２表示面２５ｄに表示される表示画面の下方向に引き出される。
【００８９】
本実施の形態では、第１形態において、起動されたアプリケーションの動作画面を第２表示面２５ｄに表示し、第１表示面１３ｂを透明な状態にしておき、第２形態に切り替わると、第２表示面２５ｄに続く動作画面を第１表示面に表示するようにしている。よって、第２形態に切り替えられた際、第２表示面２５ｄの表示形態は変更することなく、第１表示面１３ｂに第２表示面２５ｄの動作画面に続く動作画面を表示するだけで、双方の表示面１３ｂ、２５ｄが一体となった大きな表示面で一つの動作画面を表示することができる。これにより、第１表示部１３および第２表示部２５に対する制御処理の簡素化を図ることができる。
【００９０】
なお、本実施の形態とは異なり、第１形態において、起動されたアプリケーションが第１表示面１３ｂに表示された場合には、第２形態に切り替えられた際、第１表示面１３ｂに表示されていた動作画面を第２表示面２５ｄに表示し、その動作画面に続く動作画面を第１表示面１３ｂに表示しなければならない。よって、その分、制御処理が複雑になってしまう。
【００９１】
また、本実施の形態では、第１形態において、第２表示面２５ｄに各種アプリケーションを起動するためのメニュー画面を表示し、第１表示面１３ｂを透明な状態にしておき、メニュー画面での操作により所定のアプリケーションが起動されると、そのアプリケーションの動作画面を第１表示面１３ｂに表示するようにしている。よって、アプリケーションの起動後に第２形態に切替られた際、双方の表示面１３ｂ、２５ｄの表示形態を切替前と同じにしておくだけで、横に並んだ第１表示面１３ｂおよび第２表示面２５ｄに、それぞれ、アプリケーションの動作画面およびメニュー画面を表示することができる。これにより、第１表示部１３および第２表示部２５に対する制御処理の簡素化を図ることができる。
【００９２】
次に、図１５のメニュー画面から電子メールのアプリケーションに対応するアプリアイコンＭ１が操作されると、電子メールのアプリケーションが起動する。さらに、電子メールのアプリケーションの初期画面等において、メール文書を作成するための文書作成画面への移行操作が行われると、文書作成画面が第１表示面１３ｂおよび第２表示面２５ｄに表示される。ユーザは、文書作成画面上でメール文書を作成し、相手に送信する。
【００９３】
図２３は、メール文書を作成して送信するための制御の処理手順を示すフローチャートである。図２４は、第１表示面１３ｂおよび第２表示面２５ｄに文書作成画面が表示された状態を示す図である。図２４（ａ）は第１形態における表示状態を示し、図２４（ｂ）は第２形態における表示状態を示す。
【００９４】
図２３を参照して、ＣＰＵ２３ｂは、文書作成画面への移行操作が行われると、文書作成画面として、第１表示面１３ｂに操作画面を表示するとともに（Ｓ３０１）、第２表示面２５ｄにテキスト表示画面を表示する（Ｓ３０２）。たとえば、第１表示面１３ｂには、キーボード（ＱＷＥＲＴＹキー）が表示される。キーボードの周りは何も表示されず、透明な状態とされる。あるいは、キーボードの周りに所定の背景色が付される。テキスト表示画面には、キーボードで打たれた文字などが表示される。
【００９５】
ＣＰＵ２３ｂは、文字や数字、記号等の入力があると（Ｓ３０３：ＹＥＳ）、図２４（ａ）に示すように、入力された文字を、テキスト表示画面の左上の位置から、横書きとなるように、順次、表示していく（Ｓ３０４）。
【００９６】
こうして、メール文書の入力が完了し、ユーザによって送信操作がなされると（Ｓ３０５：ＹＥＳ）、ＣＰＵ２３ｂは、送信操作によって指定された宛先（メールアドレス）にメール文書を送信する（Ｓ３０６）。
【００９７】
本実施の形態では、第１形態、即ち、第１ユニット１０が第２ユニット２０に最も重なった状態でも、第２表示面２５ｄの上部は、第１ユニット１０からはみ出している。このため、図２４（ａ）に示すように、ユーザは、第２表示面２５ｄのはみ出した領域内に文書が納まる場合には、第１ユニット１０を引き出して、第２形態とせずとも第１形態のまま、即ち、携帯端末装置１００をコンパクトな状態に維持したままで、入力された文書を確認することができる。
【００９８】
一方、入力された文書が多くなり、第２表示面２５ｄのはみ出した領域内に文書が納まらなくなった場合、ユーザは、図２４（ｂ）に示すように、第１ユニット１０を引き出して、第２形態とする。これにより、外部に露出する第２表示面２５ｄの領域、即ち、テキスト表示画面が拡大するので、拡大したテキスト表示画面において、入力した文書を表示することが可能となる。
【００９９】
しかも、第１形態から第２形態に切り替わっても、ＣＰＵ２３ｂは、第１表示面１３ｂに操作画面を表示し、第２表示面２５ｄにテキスト入力画面を表示したままとすればよく、各表示面１３ｂ、２５ｄの表示形態を変更する必要がない。よって、第１表示部１３および第２表示部２５に対する制御処理の簡素化を図ることができる。
【０１００】
以上、説明した通り、本実施の形態では、第１ユニット１０が第２ユニット２０に最も重なった状態において、第２表示面２５ｄの一部の領域が外部に露出するよう構成されているので、その露出した一部の領域に、ウィジェットアイコンＭ２や再開アイコンＭ３などを表示したり、あるいは、テキスト表示画面を表示したりすることができる。よって、表示による面白みや機能性ないしは付加価値を高めることができる。
【０１０１】
また、本実施の形態によれば、第１ユニット１０が第２ユニット２０に最も重なった状態において、第１表示面１３ｂと第２表示面２５ｄとが物理的に区画されているため、突出した第２表示面２５ｄが第１表示面１３ｂと異なる別の表示領域であることが分かり易い。よって、ユーザは、この突出した第２表示面２５ｄに興味を持ち易く、この第２表示面２５ｄに上記のような情報を表示することで、携帯端末装置１００に表示による付加価値を与えることができる。特に、上記実施の形態のように第１表示面１３ｂを透明にして重なった第１表示面１３ｂおよび第２表示面２５ｄと、突出した第２表示面２５ｄとを絡めた表示を行うと、さらに、表示による面白みないし機能性を高めることができる。
【０１０２】
また、本実施の形態では、突出した第２表示面２５ｄが表示に用いられるため、たとえば、第２表示面２５ｄが飛び出さずに第１ユニット１０によって完全に覆われる場合に比べ、表示領域を大きくとることができる。したがって、突出した第２表示面２５ｄを利用することにより、第１表示面１３ｂにおいて所定のアプリケーションを大きく表示することができる。
【０１０３】
なお、第１ユニット１０が第２ユニット２０に最も重なった状態において、第２ユニット２０は第１ユニット１０からそれほど大きく突出しないため、この状態において、携帯端末装置１００の携帯性はそれほど低下しない。
【０１０４】
このように、本実施の形態では、携帯端末装置の携帯性をそれほど損なうことなく、携帯端末装置１００の表示による面白みないし機能性を顕著に高めることができる。
【０１０５】
＜変更例＞
以上、本発明の実施の形態について説明したが、本発明は、上記実施の形態によって何ら制限されるものではなく、また、本発明の実施の形態も、上記以外に種々の変更が可能である。
【０１０６】
たとえば、上記実施の形態では、第１表示部１３に透明な液晶表示器を用いるとともに、第１底部１１と第１蓋部１６とを透明な材料で構成することにより、携帯端末装置１００が閉じた状態でも、第１ユニット１０を介して、第２表示面２５ｄの表示画面が視認できるようになされている。しかしながら、これに限らず、第１ユニット１０を、第２ユニット２０と同様な構成としてもよい。即ち、第１表示部１３に第２表示部２５と同様な液晶表示器を用いるとともに、第１底部１１と第１蓋部１６とを不透明な材料で構成することにより、携帯端末装置１００が閉じられ、第２表示面２５ｄが第１ユニット１０に覆われた状態になると、第２表示面２５ｄの表示画面が視認できないようになされてもよい。
【０１０７】
また、上記実施の形態では、第１ユニット１０が第２表示面２５ｄに最も重なった状態において、第２表示面２５ｄの上部が外部に露出する構成とされている。しかしながら、これに限らず、第２表示面２５ｄの下部が外部に露出する構成とされてもよいあるいは、第２表示面２５ｄの右端部や左端部が外部に露出する構成とされてもよい。なお、第２表示面２５ｄの右端部や左端部が外部に露出する構成とされた場合、第１ユニット１０の移動方向が、上記実施の形態のように第２表示面２５ｄの上下方向ではなく、第２表示面２５ｄの左右方向とされることが望ましい。
【０１０８】
さらに、上記実施の形態では、第１ユニット１０が第２ユニット２０に対して直線的に移動可能なように配置されたが、第１ユニット１０が、表示面に垂直な所定の軸の周りに回転するように第２ユニット２０に対して配置されても良い。また、携帯端末装置１００が折り畳み式であっても良い。すなわち、第１ユニット１０が表示面に平行な所定の軸の周りに回転するように第２ユニット２０に対して配置されても良い。
【０１０９】
この他、本発明の実施の形態は、特許請求の範囲に示された技術的思想の範囲内において、適宜、種々の変更が可能である。
【符号の説明】
【０１１０】
1００  …  携帯端末装置
１０  …  第１ユニット
１２  …  スライド部
１３  …  第１表示部
１３ｂ  …  第１表示面
１４  …  第１入力部
２０  …  第２ユニット
２３ｂ  …  ＣＰＵ
２４  …  第２入力部
２５  …  第２表示部
２５ｄ  …  第２表示面
２７ａ  …  ガイド孔
【図１】
0005693098.tif 000002
【図２】
0005693098.tif 000003
【図３】
0005693098.tif 000004
【図４】
0005693098.tif 000005
【図５】
0005693098.tif 000006
【図６】
0005693098.tif 000007
【図７】
0005693098.tif 000008
【図８】
0005693098.tif 000009
【図９】
0005693098.tif 000010
【図１０】
0005693098.tif 000011
【図１１】
0005693098.tif 000012
【図１２】
0005693098.tif 000013
【図１３】
0005693098.tif 000014
【図１４】
0005693098.tif 000015
【図１５】
0005693098.tif 000016
【図１６】
0005693098.tif 000017
【図１７】
0005693098.tif 000018
【図１８】
0005693098.tif 000019
【図１９】
0005693098.tif 000020
【図２０】
0005693098.tif 000021
【図２１】
0005693098.tif 000022
【図２２】
0005693098.tif 000023
【図２３】
0005693098.tif 000024
【図２４】
0005693098.tif 000025